(57)【特許請求の範囲】
【請求項１】
副走査方向に搬送される原稿に光を照射する光源と、
前記原稿に照射された光の反射光を受光して電気信号に変換し、画像データを出力する画像データ生成手段と、
前記光源の温度を検出する温度検出手段と、
通常時、前記原稿を前記副走査方向に直交する主走査方向1ライン分読み取るための予め定められた読取期間の開始当初から前記光源を点灯させることにより、前記原稿を主走査方向1ライン分ずつ読み取る動作を繰り返す原稿読取手段と、
前記原稿読取手段による前記原稿の読み取り開始後、前記温度検出手段が検出した温度が予め定められた設定温度以上のとき、ＰＷＭ制御によって前記光源に印加する駆動電圧のデューティ比を調整することにより、各前記読取期間における前記光源の点灯時間を前記通常時よりも短く調整する調整手段と、
前記画像データ生成手段が出力した画像データを構成する各画素データと当該画素データの周囲の画素データに対して重み付け加算による積分フィルタ処理を行う処理手段と、
を備え、前記処理手段は、前記調整手段が前記光源の点灯時間を短く調整したときに前記画像データ生成手段が出力した画像データに対して積分フィルタ処理を行うものである画像読取装置。
【請求項２】
前記調整手段は、前記光源の点灯時間の調整を行うとき、前記温度検出手段が検出した温度と前記設定温度との温度差が大きいほど、前記光源の点灯時間を短く調整するものである請求項１に記載の画像読取装置。
【請求項３】
前記調整手段が前記光源の点灯時間の調整を行っていない通常時においても前記処理手段が前記画像データ生成手段の出力した画像データに対して積分フィルタ処理を行う場合、前記調整手段が前記光源の点灯時間を短く調整したときは前記処理手段は前記通常時に積分フィルタ処理を行うときよりも大きい係数を用いて重み付け加算を行うことによって前記画像データ生成手段が出力した画像データに対して積分フィルタ処理を実行するものである請求項１又は２に記載の画像読取装置。
【請求項４】
請求項１から３の何れか一項に記載の画像読取装置と
前記画像読取装置が取得した画像データに基づいて用紙に画像を形成する画像形成手段と、
を備えた画像形成装置。
【発明の詳細な説明】
【技術分野】
【０００１】
本発明は、画像読み取り時に使用する光源の発熱を抑える画像読取装置及び画像形成装置に関するものである。
【背景技術】
【０００２】
近年、原稿に光を照射し、その反射光をＣＣＤ（Charge Coupled Device）等のイメージセンサが受光して画像データに変換することにより、原稿に描かれている画像をデータ化して取得する画像読取装置が実用化されている。そして、原稿に光を照射する光源としてＬＥＤ（Light Emitting Diode）光源が多く用いられるようになってきた。
【０００３】
光源としてＬＥＤを用いたとき、十分な光量を得るために多数のＬＥＤを用いたり、高輝度のＬＥＤを使用したりするため、ＬＥＤが発熱して使用上限温度を超えてしまう場合があった。更に、大量枚数の連続読み取り等によってＬＥＤの連続照射時間が長時間に及んだ場合もＬＥＤの温度が上昇してしまう。このようにＬＥＤの温度が使用上限温度を超えると、光量や色度等の特性が変化し、高画質の画像データを得ることができないという問題があった。
【０００４】
そこで、特許文献１には、冷却ファンにより光源の温度を調節する画像読取装置について記載されている。
【先行技術文献】
【特許文献】
【０００５】
【特許文献１】特開２００２−２３７９２７号公報
【発明の概要】
【発明が解決しようとする課題】
【０００６】
しかし、冷却ファンによって光源を冷却すると、装置内の光学系に埃やゴミ等が付着する可能性があった。光学系に埃やゴミが付着していると、この埃やゴミが読み取られた画像にスジ画像として出てしまう問題がある。
【０００７】
また、光源が所定温度を超えるとクールダウンの為に原稿の読み取りを停止すると、装置としての生産性が悪くなり、ユーザに不便を強いることになる。
【０００８】
本発明は、上記の問題を解決するためになされたもので、光源の温度上昇を防ぎ、読み取った画像の劣化を軽減する画像読取装置及び画像形成装置を提供することを目的とするものである。
【課題を解決するための手段】
【０００９】
請求項１に記載の発明は、画像読取装置であって、副走査方向に搬送される原稿に光を照射する光源と、前記原稿に照射された光の反射光を受光して電気信号に変換し、画像データを出力する画像データ生成手段と、前記光源の温度を検出する温度検出手段と、通常時、前記原稿を前記副走査方向に直交する主走査方向1ライン分読み取るための予め定められた読取期間の開始当初から前記光源を点灯させることにより、前記原稿を主走査方向1ライン分ずつ読み取る動作を繰り返す原稿読取手段と、前記原稿読取手段による前記原稿の読み取り開始後、前記温度検出手段が検出した温度が予め定められた設定温度以上のとき、ＰＷＭ制御によって前記光源に印加する駆動電圧のデューティ比を調整することにより、各前記読取期間における前記光源の点灯時間を前記通常時よりも短く調整する調整手段と、前記画像データ生成手段が出力した画像データを構成する各画素データと当該画素データの周囲の画素データに対して重み付け加算による積分フィルタ処理を行う処理手段と、を備え、前記処理手段は、前記調整手段が前記光源の点灯時間を短く調整したときに前記画像データ生成手段が出力した画像データに対して積分フィルタ処理を行うものである。
【００１０】
この発明では、光源の発熱を抑えることができるため、光源の温度上昇による色度等の特性変化を防ぐと共に、消費電力を抑えることができる。また、光源の温度が低下するまで消灯すると原稿の読み取りも中断するため、ユーザに不便を強いることになっていたが、この発明においては長時間の連続読み取りが可能となり、ユーザを待たせることがない。更に、読み取った画像データに対して積分フィルタ処理を施すことによって発光素子の点灯時間を短く調整したことによる光量低下によって生じる画像のノイズを軽減することができ、画質劣化を最小限に抑えることができる。
【００１１】
請求項２に記載の発明は、請求項１に記載の画像読取装置であって、前記調整手段は、前記光源の点灯時間の調整を行うとき、前記温度検出手段が検出した温度と前記設定温度との温度差が大きいほど、前記光源の点灯時間を短く調整するものである。
請求項３に記載の発明は、請求項１又は２に記載の画像読取装置であって、前記調整手段が前記光源の点灯時間の調整を行っていない通常時においても前記処理手段が前記画像データ生成手段の出力した画像データに対して積分フィルタ処理を行う場合、前記調整手段が前記光源の点灯時間を短く調整したときは前記処理手段は前記通常時に積分フィルタ処理を行うときよりも大きい係数を用いて重み付け加算を行うことによって前記画像データ生成手段が出力した画像データに対して積分フィルタ処理を実行するものである。
【００１２】
この発明では、読み取った画像データに対して発光素子の点灯時間を短く調整したことによる光量低下によって生じる画像のノイズを軽減することができ、画質劣化を最小限に抑えることができる。
【００１３】
請求項４に記載の発明は、請求項１から３の何れか一項に記載の画像読取装置と前記画像読取装置が取得した画像データに基づいて用紙に画像を形成する画像形成手段と、を備えた画像形成装置である。
【００１４】
この発明では、請求項１又は２と同様の効果を奏する。
【発明の効果】
【００１５】
この発明では、光源の発熱を抑えることができるため、光源の温度上昇による色度等の特性変化を防ぐと共に、消費電力を抑えることができる。また、光源の温度が低下するまで消灯すると原稿の読み取りも中断するため、ユーザに不便を強いることになっていたが、この発明においては長時間の連続読み取りが可能となり、ユーザを待たせることがない。更に、読み取った画像データに対して積分フィルタ処理を施すことによって発光素子の点灯時間を短く調整したことによる光量低下によって生じる画像のノイズを軽減することができ、画質劣化を最小限に抑えることができる。
【図面の簡単な説明】
【００１６】
【図１】画像形成装置の内部構成を概略的に示す側面図。
【図２】原稿読取部を上方から見たときの概略図。
【図３】画像形成装置の電気的構成を示すブロック図。
【図４】光源の点灯処理を説明するためのフローチャート。
【図５】光源の点灯タイミングを示すタイミング図。
【図６】原稿読み取りについて説明するための図。
【図７】積分フィルタ処理の一例を説明するための図。
【発明を実施するための形態】
【００１７】
以下、本発明に係る画像形成装置１の実施の形態を図面に基づいて説明する。図１は、本発明の一実施形態に係る画像形成装置１の内部構成を概略的に示す側面図である。画像形成装置１は、コピー機能、プリンタ機能、スキャナ機能及びファクシミリ機能等の機能を兼ね備えたものであり、本体部２と、本体部２の左方に配設されたスタックトレイ３と、本体部２の上部に配設された原稿読取部４と、原稿読取部４の上方に配設された原稿搬送部５とを有している。尚、本実施の形態では本発明を画像形成装置１を用いて説明するが、原稿読取部４のみを備えた画像読取装置に適用してもよい。つまり、画像形成装置１は、少なくともスキャナ機能等を用いて画像データを取得する機能を備えたものであればよく、例えばファクシミリ機能のみを備えたものであってもよい。
【００１８】
原稿搬送部５は、ＡＤＦ（Automatic Document Feeder）を備え、原稿トレイ５１、ピックアップローラ５２及び排紙トレイ５９を有する。原稿トレイ５１には、読取対象とされる原稿が載置される。原稿トレイ５１に載置された原稿は、１枚ずつピックアップローラ５２によって取り込まれ、間隙を介して順次搬送路へ搬送される。搬送路を経由した原稿は、排紙トレイ５９へ順次排出される。
【００１９】
原稿読取部４は、原稿の画像を光学的に読み取って画像データを生成するものである。原稿読取部４は、コンタクトガラス４１、光源４２、第１ミラー４３、第２ミラー４４、第３ミラー４５、第１キャリッジ４６、第２キャリッジ４７、及びレンズユニット４００を備える。コンタクトガラス４１は、原稿搬送部５によらない原稿読取時に、ユーザの手によって原稿が載置される場所である。光源４２は、主走査方向に並ぶ複数のＬＥＤによって構成され、後述する光源駆動回路から印加される駆動電圧によって点灯する。また、光源４２の近傍にはサーミスタ４２１が配設されている。このサーミスタ４２１は光源４２の温度を測定するためのものであり、検知結果を後述する制御部へ出力する。
【００２０】
レンズユニット４００は、レンズ４８及びＣＣＤ４９等によって構成される。図２は原稿読取部４を上方から見たときの概略図である。光源４２が発した光はコンタクトガラス４１に載置された原稿画像によって反射され、その反射光を第１ミラー４３、第２ミラー４４、第３ミラー４５及びレンズ４８がＣＣＤ４９に導く。そしてＣＣＤ４９は受光した光を光電変換して画像データを出力する。
【００２１】
原稿読取方式としては、コンタクトガラス４１上に載置された原稿をＣＣＤ４９が読み取るフラットベッド読取モードと、原稿を原稿搬送部５（ＡＤＦ）によって取り込み、その搬送途中で原稿を読み取るＡＤＦ読取モードがある。フラットベッド読取モードでは、光源４２がコンタクトガラス４１上に載置された原稿を照射し、主走査方向１ライン分の反射光が第１ミラー４３、第２ミラー４４、第３ミラー４５の順に反射して、レンズ４８を透過し、ＣＣＤ４９に入射する。ＣＣＤ４９は一次元のイメージセンサであり、主走査方向に延びる１ライン分の原稿の画像データを同時に処理する。第１キャリッジ４６及び第２キャリッジ４７は、主走査方向と直交する方向（副走査方向、矢印Ｙ方向）に移動可能に構成されており、１ライン分の読み取りが終了すると、副走査方向に第１キャリッジ４６及び第２キャリッジ４７が移動し、次のラインの読み取りが行われる。
【００２２】
ＡＤＦ読取モードでは、原稿搬送部５が原稿トレイ５１に載置された原稿をピックアップローラ５２によって１枚ずつ取り込む。このとき、第１キャリッジ４６及び第２キャリッジ４７は、ガラス部材等の透明な材質でなる原稿読取窓５３の下方に配置される。原稿搬送部５による原稿搬送で、原稿が原稿読取窓５３上を通過するとき、光源４２が原稿を照射し、主走査１ライン分の反射光が第１ミラー４３、第２ミラー４４、第３ミラー４５の順に反射して、レンズ４８を透過し、ＣＣＤ４９に入射する。続いて原稿は原稿搬送部５によって搬送され、次のラインが読み取られる。
【００２３】
原稿読取部４の前面には、入力操作部６が設けられている。この入力操作部６には、ユーザが実行指示を入力するためのスタートキー６１、印刷部数等を入力するためのテンキー６２、各種動作の操作ガイド情報等を表示し、これら各種設定入力用にタッチパネル機能を有する液晶ディスプレイ等からなる表示部６３、表示部６３で設定された設定内容等をリセットするリセットキー６４、実行中の動作を停止させるためのストップキー６５、コピー機能、プリンタ機能、スキャナ機能及びファクシミリ機能を切り換えるための機能切換キー６６等が備えられている。
【００２４】
本体部２は、複数の給紙カセット１９と、給紙カセット１９から用紙を１枚ずつ繰り出して画像形成部２１へ搬送する給紙ローラ２０と、給紙カセット１９から搬送されてきた用紙に画像を形成する画像形成部２１と、排出される用紙を積載するスタックトレイ３や排出トレイ２９を備える。
【００２５】
画像形成部２１は、原稿読取部４で取得された画像データに基づきレーザ光等を出力して感光体ドラム２２を露光して感光体ドラム２２の表面に静電潜像を形成する光学ユニット２３と、静電潜像が形成された感光体ドラム２２の表面にトナーを付着することによりトナー像を形成する現像部２４と、感光体ドラム２２上のトナー像を用紙に転写する転写部２５と、トナー像が転写された用紙を加熱してトナー像を用紙に定着させる定着ローラ２６及び加圧ローラ２７を備えた定着装置２８と、画像形成部２１内の用紙搬送路中に設けられ、用紙をスタックトレイ３又は排出トレイ２９まで搬送する搬送ローラ対３０及び３１等を備える。
【００２６】
また、用紙の両面に画像を形成する場合は、画像形成部２１で用紙の一方の面に画像を形成した後、この用紙を排出トレイ２９側の搬送ローラ対３０にニップされた状態とする。この状態で搬送ローラ対３０を反転させて用紙をスイッチバックさせ、用紙を用紙搬送路３２に送って画像形成部２１の上流域に再度搬送し、画像形成部２１により他方の面に画像を形成した後、用紙をスタックトレイ３又は排出トレイ２９に排出する。
【００２７】
図３は、画像形成装置１の電気的構成を示すブロック図である。画像形成装置１は、制御部７１、記憶部７２、原稿搬送部５、原稿読取部４、画像メモリ７３、画像処理部７４、画像形成部２１、入力操作部６及びネットワークＩ／Ｆ部７５を備えて構成されている。尚、図１を用いて説明した構成要素と同じものには同符号を付して、説明を省略する。
【００２８】
記憶部７２は、画像形成装置１の備える種々の機能を実現するためのプログラムやデータ等を記憶する。画像メモリ７３は、原稿読取部４が読み取った画像やネットワークＩ／Ｆ部７５を介して外部装置から送信された画像を一時的に記憶する。画像処理部７４は、原稿読取部４を読み取った画像に対して補正や拡大・縮小等の画像処理を施すものであり、フィルタ部７４１を有する。フィルタ部７４１は、画像に対して積分フィルタ処理を実行するものであり、詳細は後ほど説明する。ネットワークＩ／Ｆ部７５は、ＬＡＮ（Local Area Network）やＷＡＮ（Wide Area Network）等のネットワークを介して外部装置と通信を行う通信インターフェイス回路である。
【００２９】
制御部７１は、ＣＰＵ（Central Processing Unit：中央処理装置）等によって構成され、記憶部７２に記憶されたプログラムを読み出して処理を実行し、各機能部への指示信号の出力、データ転送等を行って画像形成装置１を統括的に制御するものであり、温度検出部７１１を有する。
【００３０】
温度検出部７１１は、サーミスタ４２１の検出信号を取り込んで、光源４２の温度を算出する。そして、算出した温度が予め定められた設定温度以上である場合、光源駆動回路４２２に対して光源４２の点灯時間を短くするための指示信号を出力する。設定温度は光源４２に用いるＬＥＤの特性に応じて任意に設定可能であり、装置の設計段階において設計者が予め設定し、制御部７１内の記憶部等に予め記憶させておく。
【００３１】
光源駆動回路４２２は、温度検出部７１１から点灯時間を短くする旨の指示信号を受け取ると、光源４２へ印加する駆動電圧のパルス幅をＰＷＭ（Pulse Width Modulation）制御よって調整する。調整方法としては、例えば、通常時（光源４２の温度が設定温度より低い）はデューティ比１００％で光源４２に駆動電圧を印加する場合、温度検出部７１１から指示信号を受けると光源駆動回路４２２は駆動電圧のパルス幅のデューティ比を通常時より小さい予め定められた割合（例えば７０％）にして光源４２の点灯時間を短くする。
【００３２】
光源４２として用いているＬＥＤは、高効率の光源であるため強制冷却の必要性は低いが、十分な光量を得るために多数のＬＥＤを用いたり、高輝度なＬＥＤを用いたりすると、ＬＥＤの使用上限温度を超えることがある。この他、複数枚の原稿を連続して読み取る等、光源４２の点灯時間が長時間に及ぶと使用上限温度を超えることがある。一般的に、ＬＥＤの使用上限温度は７０℃〜１００℃程度であり、この温度を超えると色度等の特性が変化し、更にパッケージや蛍光剤等の劣化等の問題が生じる。
【００３３】
そこで、光源４２の温度が設定温度以上になると、温度検出部７１１の指示を受けて光源駆動回路４２２が光源４２に印加する駆動電圧のパルス幅を短く調整する。これにより、光源４２の点灯時間が短くなり、温度上昇を防ぐことができる。
【００３４】
以下、具体的に説明する。図４は、光源４２の点灯処理を説明するためのフローチャートである。ユーザによってスタートキー６１が押下されて、原稿の読み取り開始が指示されると（ステップＳ１１）、温度検出部７１１はサーミスタ４２１の検出信号を取り込んで光源４２の温度を算出する（ステップＳ１２）。算出された光源４２の温度が設定温度以上である場合（ステップＳ１３；ＹＥＳ）、温度検出部７１１は光源駆動回路４２２に光源４２の点灯時間を短くするための指示信号を出力する。光源駆動回路４２２はこの指示信号を受けて、光源４２に印加する駆動電圧のパルス幅をＰＷＭ制御にて短く調整する（ステップＳ１４）。
【００３５】
光源４２の温度が設定温度より低い場合（ステップＳ１３；ＮＯ）、制御部７１は光源駆動回路４２２に光源４２を通常点灯させる（ステップＳ１５）。１枚分の原稿の読み取りが終了し（ステップＳ１６；ＹＥＳ）、その後次の原稿の読み取りを行う場合（ステップＳ１７；ＮＯ）、制御部７１はステップＳ１２へ処理を移行する。全ての原稿の読み取りが終了した場合（ステップＳ１７；ＹＥＳ）、制御部７１は光源駆動回路４２２に光源４２を消灯させる。
【００３６】
尚、上記の処理は、原稿１枚数毎（または１枚以上の所定枚数毎）に行われてもよいし、原稿の読み取り中に所定時間間隔で光源４２の温度を検出し、光源４２の温度が設定温度以上になると読み取り途中であっても光源４２の点灯時間を短く調整するようにしてもよい。しかし、原稿の読み取り中に光源４２の点灯時間が変化すると、ＣＣＤ４９が取得する原稿１枚分の画像の中で画質が変わってしまう。従って、複数の原稿を読み取る際は、所定枚数毎に光源４２の温度検出をして点灯時間を調整する方が望ましい。或いは、原稿の枚数が所定枚数以上（例えば１００枚以上）の場合にのみ、光源４２の温度検出を行って光源４２の点灯時間を調整するようにしてもよい。
【００３７】
次に、図４のステップＳ１４にて行われる光源４２の点灯時間の調整方法について詳しく説明する。図５は、光源４２の点灯タイミングを示すタイミング図であり、図５（ａ）は通常点灯時、図５（ｂ）は光源４２の点灯時間が短く調整されたときのタイミング図を示している。信号Ｓ１は、主走査方向１ライン分の読み取りを開始することを示す信号であり、１ライン目の読み取り時はこの信号Ｓ１に同期して光源駆動回路４２２が光源４２に駆動電圧を印加し、この信号の立ち上がりで光源４２が点灯する（図中のＯＮ＝点灯、ＯＦＦ＝消灯を示す）。また、ＣＣＤ電荷蓄積時間がＨレベルのときはＣＣＤ４９が電荷を蓄積している時間であることを示している。
【００３８】
この間、フラットベッド読取モードの場合は光源４２が副走査方向（図１の矢印Ｙ方向）に一定速度で移動し、ＡＤＦ読取モードの場合は光源４２の位置は固定され、原稿が副走査方向に搬送されるため、原稿と光源４２の相対的な位置関係が副走査方向に一定速度で移動している。通常、光源４２は原稿の読み取りが終了するまで連続点灯する。
【００３９】
しかし光源４２の温度が設定温度以上になると、温度検出部７１１が指示信号を出力し、この信号を受けて光源駆動回路４２２が信号Ｓ１の立ち下がりタイミングを基準にＰＷＭ制御で駆動電圧のパルス幅を短く調整する。駆動電圧のデューティ比（時間ＴａとＴｂの比）は、予め設定されていてもよいし、設定温度と検出温度の差に比例してデューティ比を調整（温度差が大きいほど、点灯時間Ｔａを短くする）してもよい。
【００４０】
このように、１ライン分の読み取り中に光源４２が消灯すると、１ライン内の副走査方向下流側の画素において光量が低下し、十分な読み取りができない画素が発生する。この点について図５（ｂ）及び図６を用いて説明する。例えば１ラインの走査時に読み取られる副走査方向の１画素を４分割とする。図５（ｂ）中に示す４分割された１／４画素Ａ、Ｂ、Ｃ及びＤは副走査方向に並ぶ画素を示している。そして、図５（ｂ）のように光源４２に対して例えばデューティ比５０％にて駆動電圧が印加される場合、Ａ及びＢを読み取るときは光源４２が点灯しているが、Ｃ及びＤを読み取るときは光源４２が消灯していることになる。実際には、消灯後の残光や光源４２以外の周囲の光等があるためＣ及びＤを読み取るときには若干の光量があるものの、Ａ及びＢを読み取るときに比べると光量は低下してしまう。
【００４１】
つまり、図６に示すように、Ａ及びＢのラインについては十分な光量で読み取りができるが、Ｃ及びＤのラインについては光量が不足した状態で読み取りが行われることになる。従って、光源４２を連続点灯させて読み取った画像（通常時）と比較すると、読み取った画像中のノイズが増加する（Ｓ／Ｎが悪くなる）。
【００４２】
そこで、光源４２の点灯時間を短くしたときに読み取った画像に対してフィルタ部７４１が積分フィルタ処理を行うとき、通常時に比べて大きい係数を用いてフィルタ処理を行う。こうすることによって、ノイズを減らすことができる。しかし、積分フィルタはエッジをなくす方向に働くフィルタであるため、通常時に比べて大きい係数を用いてフィルタ処理を行うと、フィルタ処理後の画像は濃淡が平滑化された画像となってしまう。
【００４３】
ところが、光源４２の点灯時間を短くすると、相対的に解像度が上がる効果を得られるため、上記した大きい係数を用いてのフィルタ処理によるデメリットを相殺することができる。この点について図６を用いて詳しく説明する。上記したとおり、光源４２に供給する駆動電圧をディーティ比１００％（通常点灯）とすると、Ａ、Ｂ、Ｃ及びＤの４ライン全てが照射されて正常に読み取ることができ、デューティ比５０％にして点灯時間を短くすると、Ａ及びＢのラインのみ照射されることになる。
【００４４】
ここで、ＣＣＤ４４９の受光部は副走査方向に所定の受光幅を持っているため、例えばＡ、Ｂ及びＣのラインを同時に読み取ることになる。従って、この受光幅で副走査方向に走査しながらデューティ比１００％で読み取ると、Ｎライン目のＡのラインを起点にしたとき、Ａ〜Ｇまでを読み取ることになる。そして、Ｎ＋１ライン目に走査が移ると、Ｅ〜Ｋまでを読み取ることになる。
【００４５】
次に、デューティ比５０％の場合を考えると、Ａ〜Ｅを読み取ることになる。そしてＮ＋１ライン目に走査が移ると、Ｅ〜Ｉを読み取ることになる。デューティ比１００％時と比較すると、デューティ比５０％時はＦ及びＧのラインを読み取る時には光源４２が点灯していないためこのラインを読み取らない。言い換えると、デューティ比１００％時は常に複数ラインにまたがって読み取りを行っているため、ＣＣＤ４４９が取得する画像は副走査方向にぼけた状態となる。それをデューティ比５０％にすると、隣のラインの重複読み取り量（比率）が下がるため、このぼけた状態が軽減される。よって、光源４２の点灯時間を短くすると、相対的に解像度が上がる効果を得られる。
【００４６】
図７は、積分フィルタ処理の一例を説明するための図である。積分フィルタ処理では、フィルタ部７４１は原稿読取部４から送られてくる画像データを３×３画素のマトリクスに展開する。ここで、画素Ｇ３を注目画素とすると、フィルタ部７４１は画素Ｇ３に接する画素Ｇ１、Ｇ２、Ｇ４及びＧ５の各画素データに対して係数９１にて示す重み付けを与えて加算平均を計算し、注目画素Ｇ３の積分フィルタ処理後のデータを求める。注目画素Ｇ３の積分フィルタ処理後のデータＰ３は、下記の式（１）に従って算出される。
Ｐ３＝（ａ×Ｇ１＋ｂ×Ｇ２＋ｃ×Ｇ３＋ｂ×Ｇ４＋ａ×Ｇ５）／２５６  ・・・（１）
ここで、光源４２が通常の点灯時間のときに読み取られた画像に対して積分フィルタ処理を行うときは、通常の係数を用い、光源４２が短い点灯時間のときに読み取られた画像に対して積分フィルタ処理を行うときは、通常の係数より大きい係数を用いる。こうすることにより、光源４２の光量不足によって発生するノイズを少なくすることができる。
【００４７】
以上、説明したように、光源４２の温度が設定温度以上になると、温度検出部７１１が光源駆動回路４２２に対して指示信号を出力し、この信号を受けて光源駆動回路４２２が光源４２に印加する駆動電圧のパルス幅をＰＷＭ制御によって短くする。これにより、光源４２の温度上昇を防ぐことができる。そして、光源４２の点灯時間を短くしたときに読み取られた画像に対してフィルタ部７４１が積分フィルタ処理するとき、通常の点灯時間のときに読み取られた画像を積分フィルタ処理する際に用いる係数より大きい係数を用いてフィルタ処理を実行する。こうすることにより、光量低下によって発生した画像のノイズの影響を軽減することができ、画質劣化を最小限に抑えることができる。
【符号の説明】
【００４８】
１      画像形成装置
２      本体部
３      スタックトレイ
４      原稿読取部（画像読取装置）
４１    コンタクトガラス
４２    光源
４２１  サーミスタ（温度検出手段）
４２２  光源駆動回路（調整手段）
４８    レンズ
４９    ＣＣＤ（画像データ生成手段）
５      原稿搬送部
６      入力操作部
７１    制御部
７１１  温度検出部（温度検出手段）
７２    記憶部
７３    画像メモリ
７４    画像処理部
７４１  フィルタ部（処理手段）
７５    ネットワークＩ／Ｆ部
【図１】
0005568460.tif 000002
【図２】
0005568460.tif 000003
【図３】
0005568460.tif 000004
【図４】
0005568460.tif 000005
【図５】
0005568460.tif 000006
【図７】
0005568460.tif 000007
【図６】
0005568460.tif 000008